(57)【要約】  本発明は、数値移転方法、端末およびクラウドサーバに関する。前記方法は、端末から送信された、ユーザ特徴情報と前記端末の現在ログインしているユーザアカウントと現在数値移転する目標数値とを携えた数値移転要求を受信するステップと、前記ユーザ特徴情報および前記ユーザアカウントに基づいて、ユーザの信用情報および履歴数値移転記録を取得するステップと、前記信用情報、前記履歴数値移転記録および前記目標数値に基づいて、数値移転を行うステップとを含み、前記ユーザ特徴情報は、前記端末が目標画像に対して特徴抽出を行ったものである。本発明は、当該目標画像におけるユーザ特徴情報の抽出により、数値移転用の口座番号およびパスワードに対するユーザの手動入力が回避されるため、操作が簡単になるとともに、数値移転の安全性が向上する。【選択図】  図１
2017515253.tif 000002
【特許請求の範囲】
【請求項１】
ユーザ特徴情報と、現在端末からログインしているユーザアカウントと、数値移転の目標数値とを含む、前記端末から送信された数値移転要求を受信するステップと、
前記ユーザ特徴情報および前記ユーザアカウントに基づいて、ユーザの信用情報および履歴数値移転記録を取得するステップと、
前記信用情報、前記履歴数値移転記録および前記目標数値に基づいて、数値移転を行うステップとを含み、
前記ユーザ特徴情報は、前記端末が目標画像に対して特徴抽出を行ったものであることを特徴とする数値移転方法。
【請求項２】
前記信用情報、前記履歴数値移転記録および前記目標数値に基づいて、数値移転を行うステップは、
前記信用情報および前記履歴数値移転記録に基づいて、前記ユーザの信用枠を特定するステップと、
前記ユーザアカウントに基づいて、記憶されたユーザアカウントと常用アドレス情報との間の対応関係から、少なくとも１つの常用アドレス情報を取得するステップと、
前記少なくとも１つの常用アドレス情報を前記端末へ送信して表示させるステップと、
前記端末が前記少なくとも１つの常用アドレス情報に基づいて送信した目標アドレス情報が受信されると、前記信用枠、前記ユーザアカウントの余剰数値、前記目標数値およびクラウドサーバの余剰数値に基づいて数値移転を行うステップとを含み、
前記目標アドレス情報は、現在の数値移転元となるアドレス情報であることを特徴とする請求項１に記載の数値移転方法。
【請求項３】
前記信用枠、前記ユーザアカウントの余剰数値、前記目標数値およびクラウドサーバの余剰数値に基づいて数値移転を行うステップは、
前記ユーザアカウントの余剰数値が前記目標数値以上であるとき、前記ユーザアカウントの余剰数値から前記目標数値を差し引き、差し引かれた目標数値をクラウドサーバの余剰数値に足すステップと、
前記ユーザアカウントの余剰数値が前記目標数値よりも小さいとき、前記信用枠が前記目標数値よりも大きいかどうかを判断するステップと、
前記信用枠が前記目標数値よりも大きいとき、前記ユーザアカウントの余剰数値と前記目標数値との差分を算出するステップと、
前記ユーザアカウントの余剰数値を差し引き、差し引かれた余剰数値を前記クラウドサーバの余剰数値に足すステップと、
前記ユーザアカウントの処理待ち数値を前記差分として設定し、且つ、前記端末が処理期限までに前記差分を前記ユーザアカウントに足すように、前記処理待ち数値に対する前記処理期限を設定するステップとを含むことを特徴とする請求項２に記載の数値移転方法。
【請求項４】
前記ユーザ特徴情報および前記ユーザアカウントに基づいて、ユーザの信用情報および履歴数値移転記録を取得するステップは、
前記ユーザ特徴情報に基づいて、記憶された特徴情報と身元識別子との間の対応関係から、ユーザの身元識別子を取得するステップと、
前記ユーザの身元識別子に基づいて、前記ユーザの信用情報を取得するステップと、
前記ユーザアカウントに基づいて、記憶されたユーザアカウントと履歴数値移転記録との間の対応関係から、対応する履歴数値移転記録を取得するステップとを含むことを特徴とする請求項１に記載の数値移転方法。
【請求項５】
前記ユーザの身元識別子に基づいて、前記ユーザの信用情報を取得するステップは、
前記ユーザの身元識別子に基づいて、記憶された身元識別子と信用情報との間の対応関係から、対応する信用情報を検索するステップと、
対応する信用情報が検索できた場合、検索された信用情報を前記ユーザの信用情報として特定するステップとを含むことを特徴とする請求項４に記載の数値移転方法。
【請求項６】
前記ユーザの身元識別子に基づいて、記憶された身元識別子と信用情報との間の対応関係から、対応する信用情報を検索するステップの後、さらに、
対応する信用情報が検索できていない場合、前記ユーザの身元識別子を携えた情報取得要求を信用情報サーバへ送信するステップと、
前記信用情報サーバが送信した信用情報が受信されると、受信された信用情報を前記ユーザの信用情報として特定するステップとを含むことを特徴とする請求項５に記載の数値移転方法。
【請求項７】
数値移転指令が受信されると、現在端末を使用しているユーザに対して画像採集を行って目標画像を取得するステップと、
前記目標画像におけるユーザ特徴情報を抽出するステップと、
クラウドサーバが数値移転要求に基づいて数値移転を行うように、前記数値移転要求を前記クラウドサーバへ送信するステップとを含み、
前記数値移転要求は、前記ユーザ特徴情報と、現在前記端末からログインしているユーザアカウントと、数値移転の目標数値とを含んでいることを特徴とする数値移転方法。
【請求項８】
ユーザ特徴情報と、現在端末からログインしているユーザアカウントと、数値移転の目標数値とを含む、前記端末から送信された数値移転要求を受信するための受信モジュールと、
前記ユーザ特徴情報および前記ユーザアカウントに基づいて、ユーザの信用情報および履歴数値移転記録を取得するための取得モジュールと、
前記信用情報、前記履歴数値移転記録および前記目標数値に基づいて、数値移転を行うための数値移転モジュールとを備え、
前記ユーザ特徴情報は、前記端末が目標画像に対して特徴抽出を行ったものであることを特徴とするクラウドサーバ。
【請求項９】
前記数値移転モジュールは、
前記信用情報および前記履歴数値移転記録に基づいて、前記ユーザの信用枠を特定するための特定手段と、
前記ユーザアカウントに基づいて、記憶されたユーザアカウントと常用アドレス情報との間の対応関係から、少なくとも１つの常用アドレス情報を取得するための第１の取得手段と、
前記少なくとも１つの常用アドレス情報を前記端末へ送信して表示させるための送信手段と、
前記端末が前記少なくとも１つの常用アドレス情報に基づいて送信した目標アドレス情報が受信されると、前記信用枠、前記ユーザアカウントの余剰数値、前記目標数値およびクラウドサーバの余剰数値に基づいて数値移転を行うための数値移転手段とを備え、
前記目標アドレス情報は、現在の数値移転元となるアドレス情報であることを特徴とする請求項８に記載のクラウドサーバ。
【請求項１０】
前記数値移転手段は、
前記ユーザアカウントの余剰数値が前記目標数値以上であるとき、前記ユーザアカウントの余剰数値から前記目標数値を差し引き、差し引かれた目標数値をクラウドサーバの余剰数値に足すための第１の差引サブ手段と、
前記ユーザアカウントの余剰数値が前記目標数値よりも小さいとき、前記信用枠が前記目標数値よりも大きいかどうかを判断するための判断サブ手段と、
前記信用枠が前記目標数値よりも大きいとき、前記ユーザアカウントの余剰数値と前記目標数値との差分を算出するための算出サブ手段と、
前記ユーザアカウントの余剰数値を差し引き、差し引かれた余剰数値を前記クラウドサーバの余剰数値に足すための第２の差引サブ手段と、
前記ユーザアカウントの処理待ち数値を前記差分として設定し、且つ、前記端末が処理期限までに前記差分を前記ユーザアカウントに足すように、前記処理待ち数値に対する前記処理期限を設定するための設定サブ手段とを備えることを特徴とする請求項９に記載のクラウドサーバ。
【請求項１１】
前記取得モジュールは、
前記ユーザ特徴情報に基づいて、記憶された特徴情報と身元識別子との間の対応関係から、ユーザの身元識別子を取得するための第２の取得手段と、
前記ユーザの身元識別子に基づいて、前記ユーザの信用情報を取得するための第３の取得手段と、
前記ユーザアカウントに基づいて、記憶されたユーザアカウントと履歴数値移転記録との間の対応関係から、対応する履歴数値移転記録を取得するための第４の取得手段とを備えることを特徴とする請求項８に記載のクラウドサーバ。
【請求項１２】
前記第３の取得手段は、
前記ユーザの身元識別子に基づいて、記憶された身元識別子と信用情報との間の対応関係から、対応する信用情報を検索するための検索サブ手段と、
対応する信用情報が検索できた場合、検索された信用情報を前記ユーザの信用情報として特定するための第１の特定サブ手段とを備えることを特徴とする請求項１１に記載のクラウドサーバ。
【請求項１３】
前記第３の取得手段は、
対応する信用情報が検索できていない場合、前記ユーザの身元識別子を携えた情報取得要求を信用情報サーバへ送信するための送信サブ手段と、
前記信用情報サーバが送信した信用情報が受信されると、受信された信用情報を前記ユーザの信用情報として特定するための第２の特定サブ手段とを備えることを特徴とする請求項１２に記載のクラウドサーバ。
【請求項１４】
数値移転指令が受信されると、現在端末を使用しているユーザに対して画像採集を行って目標画像を取得するための画像採集モジュールと、
前記目標画像におけるユーザ特徴情報を抽出するための抽出モジュールと、
クラウドサーバが数値移転要求に基づいて数値移転を行うように、前記数値移転要求を前記クラウドサーバへ送信するための第１の送信モジュールとを備え、
前記数値移転要求は、前記ユーザ特徴情報と、現在前記端末からログインしているユーザアカウントと、数値移転の目標数値とを含むことを特徴とする端末。
【請求項１５】
プロセッサと、
プロセッサの実行可能な指令を記憶するためのメモリとを備え、
前記プロセッサは、
ユーザ特徴情報と、現在端末からログインしているユーザアカウントと、数値移転の目標数値とを含む、前記端末から送信された数値移転要求を受信し、
前記ユーザ特徴情報および前記ユーザアカウントに基づいて、ユーザの信用情報および履歴数値移転記録を取得し、
前記信用情報、前記履歴数値移転記録および前記目標数値に基づいて、数値移転を行うように構成され、
前記ユーザ特徴情報は、前記端末が目標画像に対して特徴抽出を行ったものであることを特徴とするクラウドサーバ。
【請求項１６】
プロセッサと
プロセッサの実行可能な指令を記憶するためのメモリとを備え、
前記プロセッサは、
数値移転指令が受信されると、現在端末を使用しているユーザに対して画像採集を行って目標画像を取得し、
前記目標画像におけるユーザ特徴情報を抽出し、
クラウドサーバが数値移転要求に基づいて数値移転を行うように、前記数値移転要求を前記クラウドサーバへ送信するように構成され、
前記数値移転要求は、前記ユーザ特徴情報と、現在前記端末からログインしているユーザアカウントと、数値移転の目標数値とを含むことを特徴とする端末。
【発明の詳細な説明】
【技術分野】
【０００１】
本発明は、インターネット分野に関し、特に数値移転方法、端末およびクラウドサーバに関する。
【背景技術】
【０００２】
スマートテレビは、フルオープンプラットフォームを採用し、オペレーティングシステムが搭載され、ユーザ自らによるアプリケーションのインストール及びアンインストールが可能である。そのため、ますます広大なユーザから人気が集められており、徐々に伝統的な従来のテレビに取って代わりつつある。また、ネットワーク取引の流行とともに、スマートテレビを介してネットワーク取引を行う方法もかなり注目されている。現在、関連技術では、スマートテレビを介してネットワーク取引を行う際に、一般的に、仮想通貨または実際の通貨に対する数値移転に関わる一方、数値移転の際に、ユーザが手動で数値移転用の口座番号およびそのパスワードをスマートテレビ上に入力して数値移転を実施する必要は生じる。
【発明の概要】
【０００３】
関連技術に存在した問題を克服すべく、本発明は、数値移転方法、端末およびクラウドサーバを提供する。
【０００４】
本発明の実施例の第１の態様によれば、数値移転方法を提供する。前記方法は、
ユーザ特徴情報と、現在端末からログインしているユーザアカウントと、数値移転の目標数値とを含む、前記端末から送信された数値移転要求を受信するステップと、
前記ユーザ特徴情報および前記ユーザアカウントに基づいて、ユーザの信用情報および履歴数値移転記録を取得するステップと、
前記信用情報、前記履歴数値移転記録および前記目標数値に基づいて、数値移転を行うステップとを含み、
前記ユーザ特徴情報は、前記端末が目標画像に対して特徴抽出を行ったものである。
【０００５】
第１の態様に合わせて、上記第１の態様の第１種可能な実現形態では、前記前記信用情報、前記履歴数値移転記録および前記目標数値に基づいて、数値移転を行うステップは、
前記信用情報および前記履歴数値移転記録に基づいて、前記ユーザの信用枠を特定するステップと、
前記ユーザアカウントに基づいて、記憶されたユーザアカウントと常用アドレス情報との間の対応関係から、少なくとも１つの常用アドレス情報を取得するステップと、
前記少なくとも１つの常用アドレス情報を前記端末へ送信して表示させるステップと、
前記端末が前記少なくとも１つの常用アドレス情報に基づいて送信した目標アドレス情報が受信されると、前記信用枠、前記ユーザアカウントの余剰数値、前記目標数値およびクラウドサーバの余剰数値に基づいて数値移転を行うステップとを含み、前記目標アドレス情報は、現在の数値移転元となるアドレス情報である。
【０００６】
第１の態様の第１種可能な実現形態に合わせて、上記第１の態様の第２種可能な実現形態では、前記信用枠、前記ユーザアカウントの余剰数値、前記目標数値およびクラウドサーバの余剰数値に基づいて数値移転を行うステップは、
前記ユーザアカウントの余剰数値が前記目標数値以上であるとき、前記ユーザアカウントの余剰数値から前記目標数値を差し引き、差し引かれた目標数値をクラウドサーバの余剰数値に足すステップと、
前記ユーザアカウントの余剰数値が前記目標数値よりも小さいとき、前記信用枠が前記目標数値よりも大きいかどうかを判断するステップと、
前記信用枠が前記目標数値よりも大きいとき、前記ユーザアカウントの余剰数値と前記目標数値との差分を算出するステップと、
前記ユーザアカウントの余剰数値を差し引き、差し引かれた余剰数値を前記クラウドサーバの余剰数値に足すステップと、
前記ユーザアカウントの処理待ち数値を前記差分として設定し、且つ、前記端末が処理期限までに前記差分を前記ユーザアカウントに足すように、前記処理待ち数値に対する前記処理期限を設定するステップとを含む。
【０００７】
第１の態様に合わせて、上記第１の態様の第３種可能な実現形態では、前記ユーザ特徴情報および前記ユーザアカウントに基づいて、ユーザの信用情報および履歴数値移転記録を取得するステップは、
前記ユーザ特徴情報に基づいて、記憶された特徴情報と身元識別子との間の対応関係から、ユーザの身元識別子を取得するステップと、
前記ユーザの身元識別子に基づいて、前記ユーザの信用情報を取得するステップと、
前記ユーザアカウントに基づいて、記憶されたユーザアカウントと履歴数値移転記録との間の対応関係から、対応する履歴数値移転記録を取得するステップとを含む。
【０００８】
第１の態様の第３種可能な実現形態に合わせて、上記第１の態様の第４種可能な実現形態では、前記ユーザの身元識別子に基づいて、前記ユーザの信用情報を取得するステップは、
前記ユーザの身元識別子に基づいて、記憶された身元識別子と信用情報との間の対応関係から、対応する信用情報を検索するステップと、
対応する信用情報が検索できた場合、検索された信用情報を前記ユーザの信用情報として特定するステップとを含む。
【０００９】
第１の態様の第４種可能な実現形態に合わせて、上記第１の態様の第５種可能な実現方式では、前記ユーザの身元識別子に基づいて、記憶された身元識別子と信用情報との間の対応関係から、対応する信用情報を検索するステップの後、さらに、
対応する信用情報が検索できていない場合、前記ユーザの身元識別子を携えた情報取得要求を信用情報サーバへ送信するステップと、
前記信用情報サーバが送信した信用情報が受信されると、受信された信用情報を前記ユーザの信用情報として特定するステップとを含む。
【００１０】
本発明の実施例の第２の態様によれば、数値移転方法を提供する。前記方法は、
数値移転指令が受信されると、現在端末を使用しているユーザに対して画像採集を行って目標画像を取得するステップと、
前記目標画像におけるユーザ特徴情報を抽出するステップと、
クラウドサーバが数値移転要求に基づいて数値移転を行うように、前記数値移転要求を前記クラウドサーバへ送信するステップとを含み、前記数値移転要求には、前記ユーザ特徴情報と、前記端末の現在ログインしているユーザアカウントと、現在数値移転する目標数値とが携えられている。
【００１１】
本発明の実施例の第３の態様によれば、クラウドサーバを提供する。前記クラウドサーバは、
ユーザ特徴情報と、現在端末からログインしているユーザアカウントと、数値移転の目標数値とを含む、前記端末から送信された数値移転要求を受信するための受信モジュールと、
前記ユーザ特徴情報および前記ユーザアカウントに基づいて、ユーザの信用情報および履歴数値移転記録を取得するための取得モジュールと、
前記信用情報、前記履歴数値移転記録および前記目標数値に基づいて、数値移転を行うための数値移転モジュールとを備え、
前記ユーザ特徴情報は、前記端末が目標画像に対して特徴抽出を行ったものである。
【００１２】
第３の態様に合わせて、上記第３の態様の第１種可能な実現形態では、前記数値移転モジュールは、
前記信用情報および前記履歴数値移転記録に基づいて、前記ユーザの信用枠を特定するための特定手段と、
前記ユーザアカウントに基づいて、記憶されたユーザアカウントと常用アドレス情報との間の対応関係から、少なくとも１つの常用アドレス情報を取得するための第１の取得手段と、
前記少なくとも１つの常用アドレス情報を前記端末へ送信して表示させるための送信手段と、
前記端末が前記少なくとも１つの常用アドレス情報に基づいて送信した目標アドレス情報が受信されると、前記信用枠、前記ユーザアカウントの余剰数値、前記目標数値およびクラウドサーバの余剰数値に基づいて数値移転を行うための数値移転手段とを備え、
前記目標アドレス情報は、現在の数値移転元となるアドレス情報である。
【００１３】
第３の態様の第１種可能な実現形態に合わせて、上記第３の態様の第２種可能な実現形態では、前記数値移転手段は、
前記ユーザアカウントの余剰数値が前記目標数値以上であるとき、前記ユーザアカウントの余剰数値から前記目標数値を差し引き、差し引かれた目標数値をクラウドサーバの余剰数値に足すための第１の差引サブ手段と、
前記ユーザアカウントの余剰数値が前記目標数値よりも小さいとき、前記信用枠が前記目標数値よりも大きいかどうかを判断するための判断サブ手段と、
前記信用枠が前記目標数値よりも大きいとき、前記ユーザアカウントの余剰数値と前記目標数値との差分を算出するための算出サブ手段と、
前記ユーザアカウントの余剰数値を差し引き、差し引かれた余剰数値を前記クラウドサーバの余剰数値に足すための第２の差引サブ手段と、
前記ユーザアカウントの処理待ち数値を前記差分として設定し、且つ、前記端末が処理期限までに前記差分を前記ユーザアカウントに足すように、前記処理待ち数値に対する前記処理期限を設定するための設定サブ手段とを備える。
【００１４】
第３の態様に合わせて、上記第３の態様の第３種可能な実現形態では、前記取得モジュールは、
前記ユーザ特徴情報に基づいて、記憶された特徴情報と身元識別子との間の対応関係から、ユーザの身元識別子を取得するための第２の取得手段と、
前記ユーザの身元識別子に基づいて、前記ユーザの信用情報を取得するための第３の取得手段と、
前記ユーザアカウントに基づいて、記憶されたユーザアカウントと履歴数値移転記録との間の対応関係から、対応する履歴数値移転記録を取得するための第４の取得手段とを備える。
【００１５】
第３の態様の第３種可能な実現形態に合わせて、上記第３の態様の第４種可能な実現形態では、前記第３の取得手段は、
前記ユーザの身元識別子に基づいて、記憶された身元識別子と信用情報との間の対応関係から、対応する信用情報を検索するための検索サブ手段と、
対応する信用情報が検索できた場合、検索された信用情報を前記ユーザの信用情報として特定するための第１の特定サブ手段とを備える。
【００１６】
第３の態様の第４種可能な実現形態に合わせて、上記第３の態様の第５種可能な実現形態では、前記第３の取得手段は、
対応する信用情報が検索できていない場合、前記ユーザの身元識別子を携えた情報取得要求を信用情報サーバへ送信するための送信サブ手段と、
前記信用情報サーバが送信した信用情報が受信されると、受信された信用情報を前記ユーザの信用情報として特定するための第２の特定サブ手段とを更に備える。
【００１７】
本発明の実施例の第４の態様によれば、端末を提供する。前記端末は、
数値移転指令が受信されると、現在端末を使用しているユーザに対して画像採集を行って目標画像を取得するための画像採集モジュールと、
前記目標画像におけるユーザ特徴情報を抽出するための抽出モジュールと、
クラウドサーバが数値移転要求に基づいて数値移転を行うように、前記数値移転要求を前記クラウドサーバへ送信するための第１の送信モジュールとを備え、
前記数値移転要求は、前記ユーザ特徴情報と、現在前記端末からログインしているユーザアカウントと、数値移転の目標数値とを含む。
【００１８】
本発明の実施例の第５の態様によれば、クラウドサーバを提供する。前記クラウドサーバは、
プロセッサと、
プロセッサの実行可能な指令を記憶するためのメモリとを備え、
前記プロセッサは、
ユーザ特徴情報と、現在端末からログインしているユーザアカウントと、数値移転の目標数値とを含む、前記端末から送信された数値移転要求を受信し、
前記ユーザ特徴情報および前記ユーザアカウントに基づいて、ユーザの信用情報および履歴数値移転記録を取得し、
前記信用情報、前記履歴数値移転記録および前記目標数値に基づいて、数値移転を行うように構成され、
前記ユーザ特徴情報は、前記端末が目標画像に対して特徴抽出を行ったものである。
【００１９】
本発明の実施例の第６の態様によれば、端末を提供する。前記端末は、
プロセッサと、
プロセッサの実行可能な指令を記憶するためのメモリとを備え、
前記プロセッサは、
数値移転指令が受信されると、現在端末を使用しているユーザに対して画像採集を行って目標画像を取得し、
前記目標画像におけるユーザ特徴情報を抽出し、
クラウドサーバが数値移転要求に基づいて数値移転を行うように、前記数値移転要求を前記クラウドサーバへ送信するように構成され、
前記数値移転要求は、前記ユーザ特徴情報と、現在前記端末からログインしているユーザアカウントと、数値移転の目標数値とを含む。
【発明の効果】
【００２０】
本発明の実施例による技術案は、以下の格別な作用効果を含むことができる。
【００２１】
本発明の実施例では、端末は、数値移転指令を受信すると、現在当該端末を使用しているユーザに対して画像採集を行って目標画像を取得し、当該目標画像におけるユーザ特徴情報を抽出することにより、数値移転用の口座番号およびパスワードに対するユーザの手動入力が回避されるため、操作が簡単になるとともに、数値移転の安全性が向上する。さらに、クラウドサーバがユーザの信用情報および履歴数値移転記録を取得して数値移転を行うため、数値移転の安全性が一層確保される。
【００２２】
上述した一般的な記述及び後続する詳細な記述は、単に例示的及び解釈的なものであり、本発明を制限できるものでないと理解されるべきである。
【図面の簡単な説明】
【００２３】
ここでの図面は、明細書を構成する一部として見なされ、本発明に適した実施例を示し、かつ、明細書の文字記載とともに本発明の仕組みを解釈するために用いられる。
【図１】一実施例による数値移転方法を示すフローチャートである。
【図２】一実施例による数値移転方法を示すフローチャートである。
【図３】一実施例による数値移転方法を示すフローチャートである。
【図４】一実施例によるクラウドサーバを示すブロック図である。
【図５】一実施例による数値移転モジュールを示すブロック図である。
【図６】一実施例による端末を示すブロック図である。
【図７】一実施例による端末を示すブロック図である。
【図８】一実施例によるクラウドサーバを示すブロック図である。
【図９】一実施例による端末を示すブロック図である。
【発明を実施するための形態】
【００２４】
次に、実施例を詳細に説明し、例示が図に示されている。以下の記述が図に係る場合、別途にて示さない限り、異なる図面における同じ符号は、同じまたは類似する要素を示す。以下の実施例に記述される実施形態は、本発明と一致する全ての実施形態を代表するとは限らない。逆に、それらは、添付する特許請求の範囲に記載されているように、本発明の一部の態様と一致する装置及び方法の例に過ぎない。
【００２５】
図１は、一実施例による数値移転方法を示すフローチャートである。図１に示すように、当該数値移転方法は、クラウドサーバに用いられ、以下のステップを含む。
【００２６】
ステップ１０１では、端末から送信された数値移転要求を受信し、当該数値移転要求は、ユーザ特徴情報と、現在当該端末からログインしているユーザアカウントと、数値移転の目標数値とを含んでおり、当該ユーザ特徴情報は、当該端末が目標画像に対して特徴抽出を行ったものである。
【００２７】
ステップ１０２では、当該ユーザ特徴情報およびおよび当該ユーザアカウントに基づいて、ユーザの信用情報および履歴数値移転記録を取得する。
【００２８】
ステップ１０３では、当該信用情報、当該履歴数値移転記録および目標数値に基づいて、数値移転を行う。
【００２９】
本発明の実施例では、端末が当該目標画像におけるユーザ特徴情報を抽出することにより、数値移転用の口座番号およびパスワードに対するユーザの手動入力が回避されるため、操作が簡単になるとともに、数値移転の安全性が向上する。しかも、クラウドサーバがユーザの信用情報および履歴数値移転記録を取得することで数値移転を行うため、数値移転用の口座に関わっておらず、ユーザの信用度により数値移転の安全性を一層確保する。
【００３０】
本発明の別の実施例では、当該信用情報、履歴数値移転記録および目標数値に基づいて、数値移転を行うステップは、
当該信用情報および履歴数値移転記録に基づいて、当該ユーザの信用枠を特定するステップと、
当該ユーザアカウントに基づいて、記憶されたユーザアカウントと常用アドレス情報との間の対応関係から、少なくとも１つの常用アドレス情報を取得するステップと、
当該少なくとも１つの常用アドレス情報を当該端末に送信して表示させるステップと、
当該端末が当該少なくとも１つの常用アドレス情報に基づいて送信した目標アドレス情報が受信されると、当該ユーザの信用枠、当該ユーザアカウントの余剰数値、目標数値およびクラウドサーバの余剰数値に基づいて、数値移転を行うステップとを含み、目標アドレス情報は、現在の数値移転元となるアドレス情報である。
【００３１】
本発明の別の実施例では、当該ユーザの信用枠、当該ユーザアカウントの余剰数値、目標数値およびクラウドサーバの余剰数値に基づいて、数値移転を行うステップは、
当該ユーザアカウントの余剰数値が目標数値以上であるとき、当該ユーザアカウントの余剰数値から目標数値を差し引き、差し引かれた目標数値をクラウドサーバの余剰数値に足すステップと、
当該ユーザアカウントの余剰数値が目標数値よりも小さいとき、当該ユーザの信用枠が目標数値よりも大きいかどうかを判断するステップと、
当該ユーザの信用枠が目標数値よりも大きいとき、当該ユーザアカウントの余剰数値と目標数値との差分を算出するステップと、
当該ユーザアカウントの余剰数値を差し引き、差し引かれた余剰数値をクラウドサーバの余剰数値に足すステップと、
当該ユーザアカウントの処理待ち数値を算出する差分として設定し、当該端末が処理期限までに当該差分を当該ユーザアカウントに足すように、処理待ち数値に対する当該処理期限を設定するステップとを含む。
【００３２】
本発明の別の実施例では、当該ユーザ特徴情報および当該ユーザアカウントに基づいて、ユーザの信用情報および履歴数値移転記録を取得するステップは、
当該ユーザ特徴情報に基づいて、記憶された特徴情報と身元識別子との間の対応関係から、ユーザの身元識別子を取得するステップと、
当該ユーザの身元識別子に基づいて、当該ユーザの信用情報を取得するステップと、
当該ユーザアカウントに基づいて、記憶されたユーザアカウントと履歴数値移転記録との間の対応関係から、対応する履歴数値移転記録を取得するステップとを含む。
【００３３】
本発明の別の実施例では、当該ユーザの身元識別子に基づいて、当該ユーザの信用情報を取得するステップは、
当該ユーザの身元識別子に基づいて、記憶された身元識別子と信用情報との間の対応関係から、対応する信用情報を検索するステップと、
対応する信用情報が検索できた場合、検索された信用情報を当該ユーザの信用情報として特定するステップとを含む。
【００３４】
本発明の別の実施例では、当該ユーザの身元識別子に基づいて、記憶された身元識別子と信用情報との間の対応関係から、対応する信用情報を検索するステップの後で、さらに、
対応する信用情報が検索できていない場合、当該ユーザの身元識別子を携えた情報取得要求を信用情報サーバへ送信するステップと、
信用情報サーバが送信した信用情報が受信されると、受信された信用情報を当該ユーザの信用情報として特定する。
【００３５】
上述したあらゆる選択可能な技術手段を任意に組み合わせて本発明の実施例を構成してもよいが、ここで一々繰り返さない。
【００３６】
図２は、一実施例による数値移転方法を示すフローチャートであり、図２に示すように、当該数値移転方法は、端末に用いられ、以下のステップを含む。
【００３７】
ステップ２０１では、数値移転指令が受信されると、現在端末を使用しているユーザに対して画像採集を行って目標画像を取得する。
【００３８】
ステップ２０２では、目標画像におけるユーザ特徴情報を抽出する。
【００３９】
ステップ２０３では、クラウドサーバが数値移転要求に基づいて数値移転を行うように、当該数値移転要求をクラウドサーバへ送信し、当該数値移転要求は、ユーザ特徴情報と、現在当該端末からログインしているユーザアカウントと、数値移転の目標数値とを含んでいる。
【００４０】
本発明の実施例では、端末は、数値移転指令を受信すると、現在当該端末を使用しているユーザに対して画像採集を行って目標画像を取得し、当該目標画像におけるユーザ特徴情報を抽出することにより、数値移転用の口座番号およびパスワードに対するユーザの手動入力が回避されるため、操作が簡単になるとともに、数値移転の安全性が向上する。
【００４１】
本発明の別の実施例では、数値移転要求をクラウドサーバへ送信した後で、更に、
クラウドサーバから送信された少なくとも１つの常用アドレス情報を受信するステップと、
当該少なくとも１つの常用アドレス情報を表示するステップと、
当該少なくとも１つの常用アドレス情報に基づいて、現在の数値移転元となるアドレス情報である目標アドレス情報を特定するステップと、
当該目標アドレス情報をクラウドサーバへ送信するステップとを含む。
【００４２】
本発明の別の実施例では、当該少なくとも１つの常用アドレス情報に基づいて、目標アドレス情報を特定するステップは、
当該少なくとも１つの常用アドレス情報のうちの指定常用アドレス情報に対する選択指令が受信されると、当該指定常用アドレス情報を目標アドレス情報として特定するステップ、または、
当該選択指令が受信されていないが、アドレス情報入力指令が受信されると、当該ユーザによって指定方式で特定されたアドレス情報を受信し、受信されたアドレス情報に基づいて目標アドレス情報を特定するステップとを含み、当該指定方式は、音声、リモコンあるいは測位を含む。
【００４３】
本発明の別の実施例では、受信されたアドレス情報に基づいて目標アドレス情報を特定するステップは、
アドレス情報補正指令を受信した後、受信したアドレス情報を当該ユーザが補正して得られた補正アドレス情報を受信するステップと、
当該補正アドレス情報を目標アドレス情報として特定するステップとを含む。
【００４４】
上述したあらゆる選択可能な技術手段を任意に組み合わせて本発明の実施例を構成してもよいが、ここで一々繰り返さない。
【００４５】
図３は、一実施例による数値移転方法を示すフローチャートである。図３に示すように、当該数値移転方法は、以下のステップを含んでもよい。
【００４６】
ステップ３０１では、端末は、数値移転指令を受信すると、現在当該端末を使用しているユーザに対して画像採集を行って目標画像を取得する。
【００４７】
端末は、数値移転指令を受信すると、画像採集機器により、現在当該端末を使用しているユーザに対して画像採集を行って目標画像を取得してもよい。ただし、画像採集機器は、端末に内蔵されるカメラ、当該端末に外付けするカメラ、指紋採取機器などを含んでもよい。
【００４８】
本発明の実施例では、数値移転指令をトリガする主体は、ユーザであってもよい。つまり、ユーザは、数値移転指令を第１の指定操作にて端末へ交付してもよい。第１の指定操作は、スライド操作、音声操作、数値移転ボタンをクリックする操作などであってもよいが、本発明の実施例は、それについて具体的に限定しない。
【００４９】
説明すべきことは、本発明の実施例においては、端末は、スマートテレビの他に、コンピュータ、携帯電話、ＰＡＤ等の端末であってもよく、本発明の実施例は、それについて具体的に限定しない。
【００５０】
ステップ３０２では、端末は、当該目標画像におけるユーザ特徴情報を抽出する。
【００５１】
本発明の実施例では、当該目標画像は、当該端末を使用しているユーザの顔画像であってもよいし、当該ユーザの目の虹彩画像であってもよいし、無論、当該ユーザの指紋画像であってもよい。
【００５２】
当該目標画像が当該ユーザの顔画像である場合、端末は、当該目標画像に対して顔の特徴抽出を行ってユーザ特徴情報を取得してもよい。その際、当該ユーザ特徴情報に、顔の輪郭、顔の五感の位置およびサイズなどが含まれてもよいが、本発明の実施例は、それについて具体的に限定しない。
【００５３】
当該目標画像が当該ユーザの目の虹彩画像である場合、端末は、当該目標画像に対して虹彩の特徴抽出を行ってユーザ特徴情報を取得してもよい。その際、当該ユーザ特徴情報に、虹彩の色、虹彩の形態、虹彩のサイズなどが含まれてもよいが、本発明の実施例は、同様にそれについて具体的に限定しない。
【００５４】
当該目標画像が当該ユーザの指紋画像である場合、当該端末は、当該目標画像に対して指紋の特徴抽出を行ってユーザ特徴情報を取得してもよい。その際、当該ユーザ特徴情報に、指紋の始点位置、終点位置および交差点位置などが含まれてもよいが、本発明の実施例は、同様にそれについて具体的に限定しない。
【００５５】
説明すべきことは、本発明の実施例においては、目標画像に対して顔の特徴抽出、虹彩の特徴抽出および指紋の特徴抽出を行う方法は、関連技術を参照すればよく、本発明の実施例は、それについて詳細に説明しない。
【００５６】
本発明の実施例では、端末が上記ステップによりユーザ特徴情報を取得した後で、以下の方式で数値遷移を行うことで、ユーザが端末上で数値遷移用の口座およびパスワードを入力することを回避させ、操作が簡単になり、他のユーザに見られにくくなり、安全性が向上する。特に、常に応接間に置かれているスマートテレビに有効である。
【００５７】
ステップ３０３では、端末は、数値移転要求をクラウドサーバへ送信し、当該数値移転要求には、当該ユーザ特徴情報と、端末の現在ログインしているユーザアカウントと、現在数値移転する目標数値とが携えられている。
【００５８】
端末は、ユーザ特徴情報を取得すると、当該ユーザ特徴情報、端末の現在ログインしているユーザアカウントおよび現在数値移転する目標数値に基づいて、数値移転要求を生成し、当該数値移転要求をクラウドサーバへ送信してもよい。
【００５９】
その中、数値移転要求の生成に際して、当該ユーザ特徴、当該ユーザアカウントおよび目標数値を直接当該数値移転要求に携えてもよいが、本発明の別の実施例では、指定方式に応じて、当該ユーザ特徴、当該ユーザアカウントおよび目標数値をパッケージングし、パッケージング後の情報を数値移転要求に携えてもよい。例えば、指定文字列により、当該ユーザ特徴、当該ユーザアカウントおよび目標数値を足し合わせてもよい。例えば、指定文字列が＃とし、ユーザ特性が特徴１とし、ユーザアカウントが１２２４５６とし、目標数値が６０とすれば、当該ユーザ特徴、当該ユーザアカウントおよび目標数値を指定方式でパッケージングした情報は、特徴１＃１２２４５６＃６０となる。
【００６０】
説明すべきことは、現在当該端末からログインしているユーザアカウントは、当該端末がクラウドサーバで登録して得られたものである。つまり、現在端末からログインしているユーザアカウントは、コミュニケーションアカウントであってもよい。
【００６１】
ステップ３０４では、クラウドサーバは、当該端末から送信された数値移転要求を受信すると、当該ユーザ特徴情報および当該ユーザアカウントに基づいて、ユーザの信用情報および履歴数値移転記録を取得する。
【００６２】
ユーザの信用枠を特定して数値移転の安全性を向上させるために、数値移転を行う度に、クラウドサーバは、当該数値移転のユーザアカウントおよび数値移転記録を、ユーザアカウントと履歴数値移転記録との間の対応関係に記憶してよい。その後、クラウドサーバは、当該端末から送信された数値移転要求を受信すると、当該数値移転要求に携えられたユーザ特徴情報に基づいて、記憶された特徴情報と身元識別子との間の対応関係から、当該ユーザの身元識別子を取得し、且つ、当該ユーザの身元識別子に基づいて、当該ユーザの信用情報を取得し、且つ、当該ユーザアカウントに基づいて、記憶されたユーザアカウントと履歴数値移転記録との間の対応関係から、対応する履歴数値移転記録を取得する。その中、履歴数値移転記録に、履歴数値移転する履歴目標数値の大きさ、履歴数値移転時における当該ユーザアカウントの余剰数値等が含まれてもよいが、本発明の実施例は、それについて具体的に限定しない。
【００６３】
例えば、当該数値移転要求に携えられたユーザ特徴情報が特徴情報１であり、ユーザアカウントが１６５４６６３である。クラウドサーバは、当該端末から送信された数値移転要求を受信すると、当該数値移転要求に携えられたユーザ特徴情報１に基づいて、以下の表１に示す記憶された特徴情報と身元識別子との間の対応関係から、当該ユーザの身元識別子をＩＤ１として取得し、当該ユーザの身元識別子ＩＤ１に基づいて当該ユーザの信用情報を信用情報１として取得し、当該ユーザアカウント１６５４６６３に基づいて、以下の表２に示すユーザアカウントと履歴数値移転記録との間の対応関係から、対応する履歴数値移転記録を記録１として取得してもよい。
【００６４】
【表１】
2017515253.tif 000003
【００６５】
【表２】
2017515253.tif 000004
説明すべきことは、本発明の実施例で、上記表１および表２に示す数値を例として説明したが、本発明の実施例を限定するものではない。
【００６６】
その中、クラウドサーバが当該ユーザの身元識別子に基づいて、当該ユーザの信用情報を取得する操作は、当該ユーザの身元識別子に基づいて、記憶された身元識別子と信用情報との間の対応関係から、対応する信用情報を検索するステップと、対応する信用情報が検索できた場合、検索された信用情報を前記ユーザの信用情報として特定するステップとを含んでもよい。対応する信用情報が検索できていない場合、当該ユーザの身元識別子を携えた情報取得要求を信用情報サーバへ送信する。信用情報サーバは、当該情報取得要求を受信すると、当該ユーザの身元識別子に基づいて、記憶された身元識別子と信用情報との間の対応関係から、対応する信用情報を取得して当該クラウドサーバへ送信してもよい。クラウドサーバは、当該信用情報サーバから送信された信用情報を受信すると、受信された信用情報を当該ユーザの信用情報として特定する。
【００６７】
本発明の実施例では、クラウドサーバは、初めて信用情報サーバから当該ユーザの信用情報を取得するとき、当該ユーザの身元識別子と信用情報との間の対応関係を記憶してもよい。こうして、当該ユーザが再び数値移転を行うとき、クラウドサーバが信用情報サーバから当該ユーザの信用情報を再度取得する必要はなくなるため、クラウドサーバと信用情報サーバ間のインタラクティブ回数が減少し、信用情報取得効率が向上する。
【００６８】
さらに、クラウドサーバは、指定時間ごとに、記憶された身元識別子と信用情報との間の対応関係における各身元識別子に基づいて、対応する信用情報を信用情報サーバから再度取得することで、記憶された身元識別子と信用情報との間の対応関係を更新し、クラウドサーバに記憶された信用情報のリアルタイム性、正確性を保証してもよい。ただし、指定時間は、予め設定されてもよく、例えば、３時間、１日などであってもよいが、本発明の実施例は、それについて具体的に限定しない。
【００６９】
説明すべきことは、ユーザの身元識別子は、ユーザの身元証明書番号であってもよく、特徴情報と身元識別子との間の対応関係は、予め取得してクラウドサーバに記憶されてもよい。また、当該ユーザの信用情報がユーザのローン情報、不動産情報、自動車情報、社会保障、個人所得税等を含んでもよいが、本発明の実施例は、それについて具体的に限定しない。当該ユーザの信用情報が複数のシステム、例えば、銀行システムに使用される可能性があるため、クラウドサーバが当該ユーザの身元識別子に基づいて当該ユーザの信用情報を取得する方法も多くある。例えば、当該クラウドサーバは、情報取得要求を他のシステムのサーバへ送信して、他のシステムのサーバから当該ユーザの信用情報を取得してもよい。
【００７０】
ステップ３０５では、当該クラウドサーバは、当該信用情報および当該履歴数値移転記録に基づいて、当該ユーザの信用枠を特定する。
【００７１】
当該ユーザの信用情報および履歴数値移転記録が当該ユーザの信用度を標記するものであるため、本発明の実施例では、当該クラウドサーバは、当該ユーザの信用情報および履歴数値移転記録に基づいて、当該ユーザの信用枠を特定してもよい。
【００７２】
当該ユーザの信用枠を特定する方法が多くある。例えば、信用情報を数値変換して信用数値を取得し、履歴数値移転記録を数値変換して履歴移転数値を取得し、信用情報および履歴数値移転記録のそれぞれに対して対応する重みを予め設定し、その後、信用数値に当該信用情報に対応する重みを乗じて第１の数値を取得し、履歴移転数値に当該履歴数値移転記録に対応する重みを乗じて第２の数値を取得し、第１の数値および第２の数値を加算して当該ユーザの信用枠を取得してもよい。信用情報を数値変換して得られた信用数値が５００とし、履歴数値移転記録を数値変換して得られた履歴移転数値が３００とし、信用情報に対応する重みが０.８とし、履歴数値移転記録に対応する重みが０.２とすれば、信用数値５００に信用情報に対応する重み０.８を乗じて得られた第１の数値が４００となり、履歴移転数値３００に当該履歴数値移転記録に対応する重み０.２を乗じて得られた第２の数値が６０となり、第１の数値４００と第２の数値６０を加算して得られた当該ユーザの信用枠は４６０となる。
【００７３】
さらに例えば、信用数値と履歴移転数値間の平均値を算出し、当該平均値を当該ユーザの信用枠として特定してもよい。信用数値５００と履歴移転数値３００間の平均値が４００と算出されれば、当該平均値４００を当該ユーザの信用枠として特定する。
【００７４】
さらに例えば、信用情報のそれぞれを複数の信用レベルに区分し、各信用レベルが一定の信用数値に対応し、履歴数値移転記録を複数の記録レベルに区分し、各記録レベルも一定の記録数値に対応してもよい。取得された信用情報の所属する信用レベル、および、履歴数値移転記録の所属する記録レベルを特定し、さらに、取得された信用情報の所属する信用レベルに対応する信用数値、および、履歴数値移転記録の所属する記録レベルに対応する記録数値を特定し、当該信用数値および記録数値の平均値を算出して、当該平均値を当該ユーザの信用枠として特定してもよい。
【００７５】
したがって、本発明の実施例は、信用枠の特定方法について具体的に限定せず、関連技術を参照すればよい。
【００７６】
ステップ３０６では、クラウドサーバは、当該ユーザアカウントに基づいて、記憶されたユーザアカウントと常用アドレス情報との間の対応関係から、少なくとも１つの常用アドレス情報を取得し、当該少なくとも１つの常用アドレス情報を当該端末へ送信する。
【００７７】
本発明の実施例では、クラウドサーバは、当該少なくとも１つの常用アドレス情報を当該端末へ送信する際、当該少なくとも１つの常用アドレス情報を常用アドレス情報表に記憶して、当該常用アドレス情報表を当該端末へ送信してもよい。端末は、当該常用アドレス情報表を受信すると、直接当該常用アドレス情報表を表示する。本発明の別の実施例では、クラウドサーバは、当該少なくとも１つの常用アドレス情報を当該端末へ送信して、端末に当該少なくとも１つの常用アドレス情報をリスト表示させてもよい。無論、其他の方式で表示してもよいが、本発明の実施例は、それについて具体的に限定しない。
【００７８】
例えば、当該少なくとも１つの常用アドレス情報は、アドレス情報１、アドレス情報２、アドレス情報３を含み、当該３つの常用アドレス情報は、以下の表３に示すアドレス情報表に格納され、当該端末へ送信される。
【００７９】
【表３】
2017515253.tif 000005
ステップ３０７では、当該端末は、当該少なくとも１つの常用アドレス情報を受信すると、当該少なくとも１つの常用アドレス情報を表示し、当該少なくとも１つの常用アドレス情報に基づいて、目標アドレス情報を特定してクラウドサーバへ送信する。
【００８０】
本発明の実施例では、数値移転を実行するために、目標アドレス情報を特定する必要がある。従って、当該端末が当該少なくとも１つの常用アドレス情報を受信し、当該少なくとも１つの常用アドレス情報を表示するとき、当該ユーザは、当該少なくとも１つの常用アドレス情報から指定アドレス情報を選択してもよい。当該端末は、当該少なくとも１つの常用アドレス情報のうちの指定常用アドレス情報に対する選択指令を受信すると、当該指定常用アドレス情報を目標アドレス情報として特定する。或いは、当該端末が当該少なくとも１つの常用アドレス情報を受信すると、当該少なくとも１つの常用アドレス情報を表示し、当該端末が当該少なくとも１つの常用アドレス情報のうちの指定常用アドレス情報に対する選択指令を受信していないがアドレス情報入力指令を受信すると、当該端末は、ユーザによって指定方式で特定されたアドレス情報を受信し、受信されたアドレス情報に基づいて目標アドレス情報を特定してもよい。当該指定方式は、音声、リモコンあるいは測位を含んでもよい。
【００８１】
その中、受信されたアドレス情報に基づいて目標アドレス情報を特定する操作は、直接受信されたアドレス情報を目標アドレス情報として特定するものであってもよい。目標アドレス情報の正確性を保証するために、端末がユーザによって指定方式で特定されたアドレス情報を受信すると、当該ユーザは、受信されたアドレス情報を補正してもよい。その際、当該ユーザは、アドレス情報補正指令を当該端末へ交付してもよい。当該端末は、当該アドレス情報補正指令を受信した後、受信したアドレス情報をユーザが補正して得られた補正アドレス情報を受信し、当該補正アドレス情報を目標アドレス情報として特定する。
【００８２】
例えば、当該端末は、当該少なくとも１つの常用アドレス情報のうちのアドレス情報２に対する選択指令を受信すると、当該アドレス情報２を目標アドレス情報として特定する。当該端末が選択指令を受信していないがアドレス情報入力指令を受信した場合、当該端末は、ユーザによって指定方式で特定されたアドレス情報をアドレス情報６として受信し、かつ、当該ユーザが当該アドレス情報６を補正するとき、当該ユーザは、アドレス情報補正指令を当該端末へ交付してもよい。当該端末は、当該アドレス情報補正指令を受信した後で、当該ユーザによってアドレス情報６が補正された補正アドレス情報をアドレス情報６１として受信し、アドレス情報６１を目標アドレス情報として特定する。
【００８３】
本発明の実施例では、上記２通りの方式で、当該少なくとも１つの常用アドレス情報に基づいて目標アドレス情報を特定してもよいが、他の方式で特定してもよい。例えば、当該少なくとも１つの常用アドレス情報の使用頻度を特定し、使用頻度が最も高い常用アドレス情報を選択し、選択された常用アドレス情報を目標アドレス情報として特定してもよい。或いは、当該少なくとも１つの常用アドレス情報から、現在時間に一番近い使用時間の常用アドレス情報を選択し、選択された常用アドレス情報に基づいて目標アドレス情報を特定してもよい。
【００８４】
指定方式が音声、リモコンあるいは測位を含んでもよいため、当該指定方式が音声であるとき、当該端末は、ユーザによって音声で入力されたアドレス情報を受信してもよい。当該指定方式がリモコンであるとき、当該端末は、ユーザによってリモコンで入力されたアドレス情報を受信してもよい。当該指定方式が測位であるとき、当該端末は、当該端末の現在所在する位置を測位し、当該端末の位置情報を取得し、当該端末の位置情報を受信のアドレス情報として特定してもよい。
【００８５】
説明すべきことは、アドレス情報補正指令は、ユーザによって第２の指定操作にて交付されたものであってもよく、第２の指定操作は、音声操作、リモコンの指定ボタンを押す操作、リモコンを揺れる操作などであってもく、本発明の実施例は、それについて具体的に限定しない。
【００８６】
ステップ３０８では、クラウドサーバは、当該端末によって当該少なくとも１つの常用アドレス情報に基づいて送信された目標アドレス情報を受信すると、当該ユーザの信用枠、当該ユーザアカウントの余剰数値、目標数値およびクラウドサーバの余剰数値に基づいて、数値移転を行う。
【００８７】
クラウドサーバは、当該端末によって当該少なくとも１つの常用アドレス情報に基づいて送信された目標アドレス情報を受信すると、当該ユーザアカウントの余剰数値を目標数値と比較し、当該ユーザアカウントの余剰数値が目標数値以上であるとき、当該ユーザアカウントの余剰数値から目標数値を差し引き、差し引かれた目標数値をクラウドサーバの余剰数値に足し、当該ユーザアカウントの余剰数値が目標数値よりも小さいとき、当該ユーザの信用枠が目標数値よりも大きいかどうかを判断し、当該ユーザの信用枠が目標数値よりも大きいとき、当該ユーザアカウントの余剰数値と目標数値との差分を算出し、当該ユーザアカウントの余剰数値を差し引き、差し引かれた余剰数値をクラウドサーバの余剰数値に足し、当該ユーザアカウントの処理待ち数値を当該差分として設定し、且つ、当該端末が処理期限までに差分を当該ユーザアカウントに足すように、処理待ち数値に対する当該処理期限を設定する。
【００８８】
例えば、当該ユーザの信用枠が４６０とし、当該ユーザアカウントの余剰数値が２００とし、目標数値が３５０とし、クラウドサーバの余剰数値が１０００とすれば、当該ユーザアカウントの余剰数値が目標数値よりも小さく、且つ当該ユーザの信用枠が目標数値よりも大きいと特定する。その際、当該ユーザアカウントの余剰数値２００と目標数値３５０との差分を１５０として算出し、当該ユーザアカウントの余剰数値２００を差し引き、差し引かれた余剰数値２００をクラウドサーバの余剰数値１０００に足すと、１２００が得られる。そのとき、当該ユーザアカウントの処理待ち数値を１５０と設定し、処理待ち数値に対する処理期限を１０日間と設定することで、当該端末は、現在時間から１０日間以内、１５０を当該ユーザアカウントに足すことができる。
【００８９】
さらに、当該ユーザアカウントの余剰数値が目標数値以上であるとき、ユーザの信用度を考慮せずに、直接当該ユーザアカウントの余剰数値から当該目標数値を差引いてもよい。当該ユーザアカウントの余剰数値が目標数値よりも小さいとき、ユーザによる数値移転を容易にするように、クラウドサーバが当該ユーザアカウントのために一部の数値を立替える必要はある。その際、当該ユーザの信用度を考慮する必要がある。つまり、当該ユーザの信用枠を目標数値と比較し、当該ユーザの信用枠が目標数値よりも大きいとき、クラウドサーバはそのまま数値移転を実施可能であるが、ユーザが処理期限までに、当該クラウドサーバによって立替えられた分を当該ユーザアカウントに足す必要は生じる。換言すれば、当該差分を当該ユーザアカウントに足す必要がある。ユーザは、当該端末を介して当該処理期限までに、差分を当該ユーザアカウントに足す。その後、クラウドサーバは、当該ユーザアカウントに足された差分を差し引き、差し引かれた差分をクラウドサーバの余剰数値に足すことで、クラウドサーバによって前に立替えられた数値を返済してもよい。これにより、数値移転の便利度が高まる。
【００９０】
本発明の実施例では、端末は、数値移転指令を受信すると、現在当該端末を使用しているユーザに対して画像採集を行って目標画像を取得し、当該目標画像におけるユーザ特徴情報を抽出する。このことにより、数値移転用の口座番号およびパスワードに対するユーザの手動入力が回避されるため、操作が簡単になるとともに、数値移転の安全性が向上する。さらに、クラウドサーバがユーザの信用情報および履歴数値移転記録を取得して数値移転を行うため、数値移転の安全性が一層確保される。更に、クラウドサーバが当該ユーザの少なくとも１つの常用アドレス情報を取得し、現在の数値移転元となる目標アドレス情報が当該少なくとも１つの常用アドレス情報のうちのいずれかであるとき、ユーザは、直接当該少なくとも１つの常用アドレス情報から選択すればよいため、他の方式による入力を必要とせず、便利度が高まり、数値移転の効率も向上する。
【００９１】
図４は、一実施例によるクラウドサーバを示すブロック図である。図４を参照すると、当該クラウドサーバは、受信モジュール４０１、取得モジュール４０２および数値移転モジュール４０３を備える。
【００９２】
受信モジュール４０１は、端末から送信された数値移転要求を受信し、当該数値移転要求には、ユーザ特徴情報と、当該端末の現在ログインしているユーザアカウントと、現在数値移転する目標数値とが携えられており、当該ユーザ特徴情報は、当該端末が目標画像に対して特徴抽出を行ったものである。
【００９３】
取得モジュール４０２は、当該ユーザ特徴情報および当該ユーザアカウントに基づいて、ユーザの信用情報および履歴数値移転記録を取得する。
【００９４】
数値移転モジュール４０３は、当該ユーザの信用情報、当該履歴数値移転記録および目標数値に基づいて、数値移転を行う。
【００９５】
本発明の別の実施例では、図５を参照すると、数値移転モジュール４０３は、
当該ユーザの信用情報および履歴数値移転記録に基づいて、当該ユーザの信用枠を特定するための特定手段４０３１と、
当該ユーザアカウントに基づいて、記憶されたユーザアカウントと常用アドレス情報との間の対応関係から、少なくとも１つの常用アドレス情報を取得するための第１の取得手段４０３２と、
当該少なくとも１つの常用アドレス情報を当該端末に送信して表示させるための送信手段４０３３と、
当該端末が当該少なくとも１つの常用アドレス情報に基づいて送信した目標アドレス情報が受信されると、当該ユーザの信用枠、当該ユーザアカウントの余剰数値、目標数値およびクラウドサーバの余剰数値に基づいて、数値移転を行うための数値移転手段４０３４とを備え、目標アドレス情報は、現在の数値移転元となるアドレス情報である。
【００９６】
本発明の別の実施例では、数値移転手段４０３４は、
当該ユーザアカウントの余剰数値が目標数値以上であるとき、当該ユーザアカウントの余剰数値から目標数値を差し引き、差し引かれた目標数値をクラウドサーバの余剰数値に足すための第１の差引サブ手段と、
当該ユーザアカウントの余剰数値が目標数値よりも小さいとき、当該ユーザの信用枠が目標数値よりも大きいかどうかを判断するための判断サブ手段と、
当該ユーザの信用枠が目標数値よりも大きいとき、当該ユーザアカウントの余剰数値と目標数値との差分を算出するための算出サブ手段と、
当該ユーザアカウントの余剰数値を差し引き、差し引かれた余剰数値をクラウドサーバの余剰数値に足すための第２の差引サブ手段と、
当該ユーザアカウントの処理待ち数値を当該差分として設定し、且つ、当該端末が処理期限までに当該差分を当該ユーザアカウントに足すように、処理待ち数値に対する当該処理期限を設定するための設定サブ手段とを備える。
【００９７】
本発明の別の実施例では、取得モジュール４０２は、
当該ユーザ特徴情報に基づいて、記憶された特徴情報と身元識別子との間の対応関係から、ユーザの身元識別子を取得するための第２の取得手段と、
当該ユーザの身元識別子に基づいて、当該ユーザの信用情報を取得するための第３の取得手段と、
当該ユーザアカウントに基づいて、記憶されたユーザアカウントと履歴数値移転記録との間の対応関係から、対応する履歴数値移転記録を取得するための第４の取得手段とを備える。
【００９８】
本発明の別の実施例では、第３の取得手段は、
当該ユーザの身元識別子に基づいて、記憶された身元識別子と信用情報との間の対応関係から、対応する信用情報を検索するための検索サブ手段と、
対応する信用情報が検索できた場合、検索された信用情報を当該ユーザの信用情報として特定するための第１の特定サブ手段とを備える。
【００９９】
本発明の別の実施例では、第３の取得手段は、更に、
対応する信用情報が検索できていない場合、当該ユーザの身元識別子を携えた情報取得要求を信用情報サーバへ送信するための送信サブ手段と、
信用情報サーバが送信した信用情報が受信されると、受信された信用情報を当該ユーザの信用情報として特定するための第２の特定サブ手段とを備える。
【０１００】
本発明の実施例では、端末が当該目標画像におけるユーザ特徴情報を抽出することにより、数値移転用の口座番号およびパスワードに対するユーザの手動入力が回避されるため、操作が簡単になるとともに、数値移転の安全性が向上する。しかも、クラウドサーバがユーザの信用情報および履歴数値移転記録を取得することで数値移転を行うため、数値移転用の口座に関わっておらず、ユーザの信用度により数値移転の安全性を一層確保する。
【０１０１】
上記実施例の端末について、各モジュールが操作を実行する具体的な方式が既に当該方法に関する実施例で詳細に記述されたため、ここで詳細に説明しない。
【０１０２】
図６は、一実施例による端末を示すブロック図である。図６を参照すると、当該端末は、画像採集モジュール６０１、抽出モジュール６０２および第１の送信モジュール６０３を備える。
【０１０３】
画像採集モジュール６０１は、数値移転指令が受信されると、現在端末を使用しているユーザに対して画像採集を行って目標画像を取得する。
【０１０４】
抽出モジュール６０２は、目標画像におけるユーザ特徴情報を抽出する。
【０１０５】
第１の送信モジュール６０３は、クラウドサーバが数値移転要求に基づいて数値移転を行うように、当該数値移転要求を当該クラウドサーバへ送信し、当該数値移転要求には、当該ユーザ特徴情報と、当該端末の現在ログインしているユーザアカウントと、現在数値移転する目標数値とが携えられている。
【０１０６】
本発明の別の実施例では、図７を参照すると、当該端末は、さらに、
クラウドサーバから送信された少なくとも１つの常用アドレス情報を受信するための受信モジュール６０４と、
当該少なくとも１つの常用アドレス情報を表示するための表示モジュール６０５と、
当該少なくとも１つの常用アドレス情報に基づいて、現在の数値移転元となる目標アドレス情報を特定するための特定モジュール６０６と、
目標アドレス情報をクラウドサーバへ送信するための第２の送信モジュール６０７とを備える。
【０１０７】
本発明の別の実施例では、特定モジュール６０６は、
当該少なくとも１つの常用アドレス情報のうちの指定常用アドレス情報に対する選択指令が受信されると、当該指定常用アドレス情報を目標アドレス情報として特定するための第１の特定サブ手段、または、
当該選択指令が受信されていないが、アドレス情報入力指令が受信されている場合に、当該ユーザによって指定方式で特定されたアドレス情報を受信し、受信されたアドレス情報に基づいて目標アドレス情報を特定するための第２の特定サブ手段を備え、当該指定方式は、音声、リモコンあるいは測位を含む。
【０１０８】
本発明の別の実施例では、前記第２の特定サブ手段は、具体的に、
当該選択指令が受信されていないが、アドレス情報入力指令が受信されると、当該ユーザによって指定方式で特定されたアドレス情報を受信し、
アドレス情報補正指令の受信後、受信されたアドレス情報を当該ユーザによって補正された補正アドレス情報を受信し、
当該補正アドレス情報を目標アドレス情報として特定する。
【０１０９】
本発明の実施例では、端末は、数値移転指令を受信すると、現在当該端末を使用しているユーザに対して画像採集を行って目標画像を取得し、当該目標画像におけるユーザ特徴情報を抽出することにより、数値移転用の口座番号およびパスワードに対するユーザの手動入力が回避されるため、操作が簡単になるとともに、数値移転の安全性が向上する。
【０１１０】
上記実施例の端末について、各モジュールが操作を実行する具体的な方式が既に当該方法に関する実施例で詳細に記述されたため、ここで詳細に説明しない。
【０１１１】
図８は、一実施例による数値移転のためのクラウドサーバ８００を示すブロック図である。図８を参照すると、クラウドサーバ８００は、１つまたは複数のプロセッサを有する処理ユニット８２２と、処理ユニット８２２の実行可能な指令、例えば、アプリケーション、を記憶するためのメモリ８３２に代表されるメモリ資源とを備える。メモリ８３２に記憶されたアプリケーションは、それぞれが1セットの指令に対応する１つまたは複数のモジュールを含んでもよい。また、処理ユニット８２２は、下記の数値移転方法が実行できるように、指令を実行するように配置され、当該方法は、
ユーザ特徴情報と、現在端末からログインしているユーザアカウントと、数値移転の目標数値とを含む、端末から送信された数値移転要求を受信するステップと、
当該ユーザ特徴情報および当該ユーザアカウントに基づいて、ユーザの信用情報および履歴数値移転記録を取得するステップと、
当該信用情報、当該履歴数値移転記録および目標数値に基づいて、数値移転を行うステップとを含み、当該ユーザ特徴情報は、当該端末が目標画像に対して特徴抽出を行ったものである。
【０１１２】
本発明の別の実施例では、当該信用情報、履歴数値移転記録および目標数値に基づいて、数値移転を行うステップは、
当該信用情報および履歴数値移転記録に基づいて、当該ユーザの信用枠を特定するステップと、
当該ユーザアカウントに基づいて、記憶されたユーザアカウントと常用アドレス情報との間の対応関係から、少なくとも１つの常用アドレス情報を取得するステップと、
当該少なくとも１つの常用アドレス情報を当該端末に送信して表示させるステップと、
当該端末が当該少なくとも１つの常用アドレス情報に基づいて送信した目標アドレス情報が受信されると、当該ユーザの信用枠、当該ユーザアカウントの余剰数値、目標数値およびクラウドサーバの余剰数値に基づいて、数値移転を行うステップとを含み、目標アドレス情報は、現在の数値移転元となるアドレス情報である。
【０１１３】
本発明の別の実施例では、当該ユーザの信用枠、当該ユーザアカウントの余剰数値、目標数値およびクラウドサーバの余剰数値に基づいて、数値移転を行うステップは、
当該ユーザアカウントの余剰数値が目標数値以上であるとき、当該ユーザアカウントの余剰数値から目標数値を差し引き、差し引かれた目標数値をクラウドサーバの余剰数値に足すステップと、
当該ユーザアカウントの余剰数値が目標数値よりも小さいとき、当該ユーザの信用枠が目標数値よりも大きいかどうかを判断するステップと、
当該ユーザの信用枠が目標数値よりも大きいとき、当該ユーザアカウントの余剰数値と目標数値との差分を算出するステップと、
当該ユーザアカウントの余剰数値を差し引き、差し引かれた余剰数値をクラウドサーバの余剰数値に足すステップと、
当該ユーザアカウントの処理待ち数値を算出する差分として設定し、当該端末が処理期限までに当該差分を当該ユーザアカウントに足すように、処理待ち数値に対する当該処理期限を設定するステップとを含む。
【０１１４】
本発明の別の実施例では、当該ユーザ特徴情報および当該ユーザアカウントに基づいて、ユーザの信用情報および履歴数値移転記録を取得するステップは、
当該ユーザ特徴情報に基づいて、記憶された特徴情報と身元識別子との間の対応関係から、ユーザの身元識別子を取得するステップと、
当該ユーザの身元識別子に基づいて、当該ユーザの信用情報を取得するステップと、
当該ユーザアカウントに基づいて、記憶されたユーザアカウントと履歴数値移転記録との間の対応関係から、対応する履歴数値移転記録を取得するステップとを含む。
【０１１５】
本発明の別の実施例では、当該ユーザの身元識別子に基づいて、当該ユーザの信用情報を取得するステップは、
当該ユーザの身元識別子に基づいて、記憶された身元識別子と信用情報との間の対応関係から、対応する信用情報を検索するステップと、
対応する信用情報が検索できた場合、検索された信用情報を当該ユーザの信用情報として特定するステップとを含む。
【０１１６】
本発明の別の実施例では、当該ユーザの身元識別子に基づいて、記憶された身元識別子と信用情報との間の対応関係から、対応する信用情報を検索するステップの後で、更に、
対応する信用情報が検索できていない場合、当該ユーザの身元識別子を携えた情報取得要求を信用情報サーバへ送信するステップと、
信用情報サーバが送信した信用情報が受信されると、受信された信用情報を当該ユーザの信用情報として特定するステップと含む。
【０１１７】
クラウドサーバ８００は、さらに、クラウドサーバ８００の電源管理を実行するように構成される電源ユニット８２６と、クラウドサーバ８００をネットワークに接続するように構成される有線や無線ネットワークインターフェース８５０と、出入力（Ｉ/Ｏ）インターフェース８５８とを含んでもよい。クラウドサーバ８００は、Ｗｉｎｄｏｗｓ ＳｅｒｖｅｒＴＭ、Ｍａｃ ＯＳ ＸＴＭ、ＵｎｉｘＴＭ、ＬｉｎｕｘＴＭ、ＦｒｅｅＢＳＤＴＭのような、メモリ８３２に記憶されたオペレーティングシステムを操作してもよい。
【０１１８】
図９は、一実施例による数値移転のための端末９００を示すブロック図である。例えば、端末９００は、携帯電話、コンピュータ、デジタル放送端末、メッセージ送受信機器、ゲームコンソール、タブレットデバイス、医療設備、フィットネス機器、ＰＤＡなどであってもよい。
【０１１９】
図９を参照し、端末９００は、処理ユニット９０２、メモリ９０４、電源ユニット９０６、マルチメディアユニット９０８、オーディオユニット９１０、入力・出力（Ｉ／Ｏ）インターフェース９１２、センサユニット９１４、および、通信ユニット９１６のうちの１つまたは複数を含んでもよい。
【０１２０】
処理ユニット９０２は、通常は、表示、電話発呼、データ通信、カメラ操作および記録操作に関連する操作のような、端末９００の全般操作を制御する。処理ユニット９０２は、上記方法の全部または一部のステップを実行させるように、指令を実行するための１つまたは複数のプロセッサ９２０を含んでもよい。また、処理ユニット９０２は、処理ユニット９０２と他のユニットとの間の相互作用を容易にするように、１つ又は複数のモジュールを含んでもよい。例えば、処理ユニット９０２は、マルチメディアユニット９０８と処理ユニット９０２との間の相互作用を容易にするように、マルチメディアモジュールを含んでもよい。
【０１２１】
メモリ９０４は、各タイプのデータを記憶して端末９００での操作をサポートするように構成される。これらのデータの例示は、端末９００で操作するための任意のアプリケーションもしくは方法の指令、連絡人データ、電話帳データ、メッセージ、ピクチャ、ビデオなどを含む。メモリ９０４は、如何なる種別の揮発性もしくは不揮発性記憶装置またはそれらの組合せで実現されてもよい。例えば、スタティックランダムアクセスメモリ（ＳＲＡＭ）、電気的に消去可能なプログラマブル読み出し専用メモリ（ＥＥＰＲＯＭ）、消去可能なプログラマブル読み出し専用メモリ（ＥＰＲＯＭ）、プログラマブル読み出し専用メモリ（ＰＲＯＭ）、読み出し専用メモリ（ＲＯＭ）、磁気メモリ、フラッシュメモリ、磁気ディスクまたは光ディスクであってもよい。
【０１２２】
電力ユニット９０６は、端末９００のユニットのそれぞれに電力を供給する。電力ユニット９０６は、電源管理システム、１つまたは複数の電源、並びに、端末９００用の電力を生成、管理および配分するに関する他のユニットを含んでもよい。
【０１２３】
マルチメディアユニット９０８は、前記端末９００とユーザとの間に1つの出力インターフェースを供給するスクリーンを含む。一部の実施例では、スクリーンは、液晶ディスプレイ（ＬＣＤ）およびタッチパネル（ＴＰ）を含んでもよい。スクリーンは、タッチパネルを含む場合、ユーザからの入力信号を受信するように、タッチスクリーンとして実現されてもよい。タッチパネルは、タッチ、スライドおよびタッチパネルでのジェスチャーを感知するように、１つまたは複数のタッチセンサを含む。前記タッチセンサは、タッチあるいはスライド動作の境界を感知するだけではなく、前記タッチあるいはスライド操作と関連する持続時間および圧力をさらに検出することができる。一部の実施例では、マルチメディアユニット９０８は、１つのフロントカメラおよび/またはバックカメラを含む。端末９００が操作モード、例えば、撮影モードあるいはビデオモードであるとき、フロントカメラおよび/またはバックカメラは、外部のマルチメディアデータを受信することができる。フロントカメラおよびバックカメラのそれぞれは、１つの固定の光学レンズシステムであってもよいし、焦点距離および光学ズーム能力を有するものであってもよい。
【０１２４】
オーディオユニット９１０は、オーディオ信号を出力および/または入力するように構成される。例えば、オーディオユニット９１０は、１つのマイク（ＭＩＣ）を備え、端末９００が操作モード、例えば、発呼モード、記録モードおよび音声識別モードであるとき、マイクは、外部オーディオ信号を受信するように構成される。受信されたオーディオ信号は、さらに、メモリ９０４に格納される、または、通信ユニット９１６を介して送信されることができる。一部の実施例では、オーディオユニット９１０は、オーディオ信号を出力するためのスピーカをさらに含む。
【０１２５】
Ｉ/Ｏインターフェース９１２は、処理ユニット９０２とペリフェラルインターフェースモジュールとの間でインターフェースを供給するものであり、前記ペリフェラルインターフェースモジュールは、キーボード、クリックホイール、ボタンなどであってもよい。これらのボタンには、ホームページボタン、ボリュームボタン、起動ボタンおよびロックボタンが含まれてもよいが、それらに限定されない。
【０１２６】
センサユニット９１４は、いろんな方面での状態推定を端末９００に供給するための１つまたは複数のセンサを含む。例えば、センサユニット９１４は、端末９００のオン/オフ状態、ユニットの相対位置を検出することができ、前記ユニットは、例えば、端末９００のディスプレイおよびテンキーである。センサユニット９１４は、さらに、端末９００もしくは端末９００の１つのユニットの位置変更、ユーザと端末９００との接触の存在もしくは非存在、端末９００の方位もしくは加速/減速および端末９００の温度変化をさらに検出することができる。センサユニット９１４は、如何なる物理的接触もないとき、近辺にある物体の存在を検出するための近接センサを含んでもよい。センサユニット９１４は、さらに、イメージングアプリケーションに使用される光センサ、例えばＣＭＯＳまたはＣＣＤ画像センサを含んでもよい。一部の実施例では、当該センサユニット９１４は、さらに、加速度センサ、ジャイロセンサ、磁気センサ、圧力センサまたは温度センサを含んでもよい。
【０１２７】
通信ユニット９１６は、端末９００と他の機器間の無線または有線方式の通信ができるように構成される。端末９００は、通信規格に基づく無線ネットワーク、例えば、ＷｉＦｉ、２Ｇもしくは３Ｇ等の通信規格、またはそれらの組合せに基づく無線ネットワークにアクセスすることができる。ある実施例では、通信ユニット９１６は、外部ブロードキャスト管理システムからのブロードキャスト信号またはブロードキャスト関連情報をブロードキャストチャネルを介して受信する。ある実施例では、前記通信ユニット９１６は、さらに、短距離通信を容易にするように、ニアフィールド通信（ＮＦＣ）モジュールを含む。例えば、ＮＦＣモジュールは、無線周波数識別（ＲＦＩＤ）技術、赤外線データ協会（ＩｒＤＡ）技術、超広帯域（ＵＷＢ）技術、ブルートゥース（登録商標）（BT）技術および他の技術によって実現されてもよい。
【０１２８】
実施例では、端末９００は、上記方法を実行するための１つ又は複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサまたは他の電子部品によって実現されてもよい。
【０１２９】
実施例では、指令を含む非一時的コンピュータ読み取り可能な記憶媒体、例えば、指令を含むメモリ９０４をさらに提供し、上記指令が端末９００のプロセッサ９２０によって実行されることで上述方法を実施させることができる。例えば、前記非一時的コンピュータ読み取り可能な記憶媒体は、ＲＯＭ、ランダムアクセスメモリ（ＲＡＭ）、ＣＤ-ＲＯＭ、磁気テープ、フレキシブルディスクおよび光データ記憶機器などであってもよい。
【０１３０】
非一時的コンピュータ読み取り可能な記憶媒体を提供し、前記記憶媒体における指令が端末のプロセッサに実行されるとき、端末が数値移転方法を実行可能であり、前記方法は、
数値移転指令が受信されると、現在端末を使用しているユーザに対して画像採集を行って目標画像を取得するステップと、
目標画像におけるユーザ特徴情報を抽出するステップと、
クラウドサーバが数値移転要求に基づいて数値移転を行うように、当該数値移転要求を当該クラウドサーバへ送信するステップとを含み、当該数値移転要求には、ユーザ特徴情報と、当該端末の現在ログインしているユーザアカウントと、現在数値移転する目標数値とが携えられている。
【０１３１】
本発明の別の実施例では、数値移転要求をクラウドサーバへ送信した後で、さらに、
クラウドサーバから送信された少なくとも１つの常用アドレス情報を受信するステップと、
当該少なくとも１つの常用アドレス情報を表示するステップと、
当該少なくとも１つの常用アドレス情報に基づいて、現在の数値移転元となる目標アドレス情報を特定するステップと、
当該目標アドレス情報をクラウドサーバへ送信するステップとを含む。
【０１３２】
本発明の別の実施例では、当該少なくとも１つの常用アドレス情報に基づいて、目標アドレス情報を特定するステップは、
当該少なくとも１つの常用アドレス情報のうちの指定常用アドレス情報に対する選択指令が受信されると、当該指定常用アドレス情報を目標アドレス情報として特定するステップ、または、
当該選択指令が受信されていないが、アドレス情報入力指令が受信されると、当該ユーザによって指定方式で特定されたアドレス情報を受信し、受信されたアドレス情報に基づいて目標アドレス情報を特定するステップとを含み、当該指定方式は、音声、リモコンあるいは測位を含む。
【０１３３】
本発明の別の実施例では、受信されたアドレス情報に基づいて目標アドレス情報を特定するステップは、
アドレス情報補正指令の受信後、受信されたアドレス情報を当該ユーザによって補正された補正アドレス情報を受信するステップと、
当該補正アドレス情報を目標アドレス情報として特定するステップとを含む。
【０１３４】
本発明の実施例では、端末は、数値移転指令を受信すると、現在当該端末を使用しているユーザに対して画像採集を行って目標画像を取得し、当該目標画像におけるユーザ特徴情報を抽出することにより、数値移転用の口座番号およびパスワードに対するユーザの手動入力が回避されるため、操作が簡単になるとともに、数値移転の安全性が向上する。
【０１３５】
当業者は明細書を考慮し、ここに公開された開示を実践した後、本発明の他の実施案を容易に想到する。本願は、本発明の如何なる変形、用途または適合もカバーすることを意図する。これらの変形、用途または適合は、本発明の一般的な仕組みに従い、かつ、本発明に公開されていない当分野における公知常識または慣用技術手段を含む。明細書および実施例は単なる例示と見なされ、本発明の本当の範囲および思想は添付する特許請求の範囲によって与えられる。
【０１３６】
本発明が上述した図面に示された正確な構造に限定されるものでなく、その要旨を逸脱しない範囲で様々な補正や変更も可能であることは理解されるべきである。本発明の範囲は、添付する特許請求の範囲のみによって限定される。
【０１３７】
本願は、出願番号が２０１５１０１８９０００．５で、出願日が２０１５年４月２１日である中国特許出願に基づいて提出されるとともに、該中国特許出願の優先権を要求するものである。該中国特許出願の全部内容はここに参考として引用される。
【図１】
2017515253.tif 000006
【図２】
2017515253.tif 000007
【図３】
2017515253.tif 000008
【図４】
2017515253.tif 000009
【図５】
2017515253.tif 000010
【図６】
2017515253.tif 000011
【図７】
2017515253.tif 000012
【図８】
2017515253.tif 000013
【図９】
2017515253.tif 000014
【国際調査報告】
2017515253.tif 000015
2017515253.tif 000016
2017515253.tif 000017
2017515253.tif 000018